(57)【要約】【課題】ＬＥＤの照射方向を任意の方向に可動可能であって、しかも、ＬＥＤに生じた発熱を、効率良く器具本体に熱伝導できるＬＥＤ照明器具を提供する。【解決手段】器具本体１の内部にＬＥＤ２１を搭載した略円板状のＬＥＤモジュール２を内装すると共に、前記ＬＥＤ２１の照射方向を任意に設定可能な可動部３を設けてなるＬＥＤ照明器具Ａにおいて、前記可動部３は、上面に前記ＬＥＤモジュール２を載置して固定可能な上平面部４２を有し、且つ、下面には一方向に傾斜された上傾斜面４１を形成した回動可能な上可動部４と、上面には、前記上可動部４の上傾斜面４１に摺動する共に、前記上傾斜面４１と同角度に傾斜された下傾斜面５１を有し、且つ、下面が前記器具本体１に摺接して回動可能な下平面部５２を形成した下可動部５と、前記上可動部４及び下可動部５の回転中心に貫通して、これら上可動部４及び下可動部５を各々任意の位置に回転可能にした回転軸６と、より構成したことを特徴とする。【選択図】図１
2010021062.tif 000002
【特許請求の範囲】
【請求項１】
器具本体の内部にＬＥＤを搭載した略円板状のＬＥＤモジュールを内装すると共に、前記ＬＥＤの照射方向を任意に設定可能な可動部を設けてなるＬＥＤ照明器具において、
前記可動部は、上面に前記ＬＥＤモジュールを載置して固定可能な上平面部を有し、且つ、下面には一方向に傾斜された上傾斜面を形成した回動可能な上可動部と、
上面には、前記上可動部の上傾斜面に摺動する共に、前記上傾斜面と同角度に傾斜された下傾斜面を有し、且つ、下面が前記器具本体に摺接して回動可能な下平面部を形成した下可動部と、
前記上可動部及び下可動部の回転中心に貫通して、これら上可動部及び下可動部を各々任意の位置に回転可能にした回転軸と、
より構成したことを特徴とするＬＥＤ照明器具。
【請求項２】
請求項１において、
上傾斜面及び下傾斜面等の摺動面には、グリース等の潤滑剤を塗布してなるＬＥＤ照明器具。
【請求項３】
請求項１又は２の何れかにおいて、
下可動部を上可動部よりも大きな外形に形成してなるＬＥＤ照明器具。
【発明の詳細な説明】
【技術分野】
【０００１】
本発明は、器具本体の内部にＬＥＤチップを搭載したＬＥＤモジュールを内装すると共に、前記ＬＥＤの照射方向を任意に設定可能な可動部を設けてなるＬＥＤ照明器具に関する。
【背景技術】
【０００２】
従来からＬＥＤモジュールを用いたＬＥＤ照明器具には様々なものがあり、例えば、ＬＥＤモジュールを備えた灯体を回動可能に器具本体に保持して、前記灯体の光照射方向を任意の方向に照射可能なＬＥＤ照明器具が開示されている（例えば、特許文献１参照。）。
【０００３】
図５（ａ）、（ｂ）は、従来のＬＥＤ照明器具100を示す一部破断した状態の斜視図及び正面図である。
【０００４】
このＬＥＤ照明器具100は、器具本体101の内部にＬＥＤ102を搭載した略円板状のＬＥＤモジュール103を内装すると共に、このＬＥＤ102の照射方向を任意に設定可能な可動部104を設けてなる。なお、図示しないが、一般に器具本体101の開放側には、透光性を備えたガラス板等を設けて防水性を保護している。
【０００５】
可動部104は、帯状基板114ａの両端から各々上方に向けて短片114ｂ，114ｂを延設して横向きのコ状に形成された回転板114と、該回転板114の帯状基板114ａの中心及び器具本体101の底面101ａを貫通して回転板114を回転可能に枢着した回転軸115と、回転板114の短片114ｂ，114ｂ及びＬＥＤモジュール103の側壁に枢着してＬＥＤモジュール103を傾動可能な傾動軸106とより構成してなる。
【０００６】
そして、ＬＥＤ照明器具100を使用するには、例えば、傾動軸106を回転中心にして図中矢印で示すようにＬＥＤモジュール103を所望の方向に傾動すると共に、更に、回転軸115を回転中心にして図中矢印で示すようにＬＥＤモジュール103を所望の方向に回転することで、ＬＥＤモジュール103に搭載したＬＥＤ102の照射方向を任意に設定することができるのである。
【特許文献１】特開２００７−１４１６４２号
【発明の開示】
【発明が解決しようとする課題】
【０００７】
しかし、このＬＥＤ照明器具100には、以下の問題があった。
【０００８】
すなわち、ＬＥＤ102を光源として発光させると、ＬＥＤ102が発熱し、適切な放熱を施さないと、ＬＥＤ102の寿命を大きく縮めてしまう結果を招く。そのため、最近では、前記発熱をＬＥＤ照明器具100の器具本体101に熱伝導させて放熱することによって、これらＬＥＤ102の寿命を高めるようにしている。
【０００９】
具体的には、図５で示すように、発光によってＬＥＤ102に生じた発熱は、ＬＥＤモジュール103を傾動する傾動軸106を通じて回転板114に伝導され、更に、この回転版114を回転する回転軸115を通じて器具本体101に熱伝導され、ＬＥＤ102に生じた発熱を放熱するようにしている。
なお、ＬＥＤ102の発熱を放熱するためには、外気を器具本体101内に流入させて、ＬＥＤ102周囲の空気を常に入れ替えることが考えられるが、一般に、この種のＬＥＤ照明器具100では防水性を高めるために密閉構造を採ることが多く、そのため、放熱穴などを器具本体101に設けて外気を取り入れることができないため、前記放熱穴などを開設することは採用できない。
【００１０】
このように、従来のＬＥＤ照明器具100では、ＬＥＤ102に生じた発熱を、傾動軸106及び回転軸115を通じて器具本体101に熱伝導する構造であり、これら傾動軸106又は回転軸115の接触面積に比例して熱伝導量が定まるが、特に傾動軸106とＬＥＤモジュール103及び傾動軸106と回転板114との接触面積が狭いために、熱伝導量が不十分であるという問題があった。
【００１１】
本発明は、かかる課題を解決することを目的とし、ＬＥＤの照射方向を任意に設定可能であって、しかも、ＬＥＤに生じた発熱を、効率良く器具本体に熱伝導できることにより、防水性を必要とする密閉式の構造で且つ消費電力の大きいＬＥＤを小さな空間に配置できるＬＥＤ照明器具を提供する。
【課題を解決するための手段】
【００１２】
前記目的を達成するため、
請求項１に係るＬＥＤ照明器具は、器具本体の内部にＬＥＤを搭載した略円板状のＬＥＤモジュールを内装すると共に、前記ＬＥＤの照射方向を任意に設定可能な可動部を設けてなるＬＥＤ照明器具において、前記可動部は、上面に前記ＬＥＤモジュールを載置して固定可能な上平面部を有し、且つ、下面には一方向に傾斜された上傾斜面を形成した回動可能な上可動部と、上面には、前記上可動部の上傾斜面に摺動する共に、前記上傾斜面と同角度に傾斜された下傾斜面を有し、且つ、下面が前記器具本体に摺接して回動可能な下平面部を形成した下可動部と、前記上可動部及び下可動部の回転中心に貫通して、これら上可動部及び下可動部を各々任意の位置に回転可能にした回転軸と、より構成したことを特徴とする。
【００１３】
請求項２に係るＬＥＤ照明器具は、請求項１において、上傾斜面及び下傾斜面等の摺動面には、グリース等の潤滑剤を塗布してなる。
【００１４】
請求項３に係るＬＥＤ照明器具は、請求項１又は２の何れかにおいて、下可動部を上可動部よりも大きな外形に形成してなる。
【発明の効果】
【００１５】
本発明によれば、次のような効果がある。
【００１６】
請求項１に係るＬＥＤ照明器具によれば、ＬＥＤモジュールを載置した上可動部と、器具本体に摺接した下可動部は、上傾斜面及び下傾斜面を摺動しながら、回転軸によって各々を回転可能にしているため、上可動部及び／又は下可動部を回転することで、ＬＥＤの照射方向を任意に設定することができる。
【００１７】
しかも、発光によってＬＥＤに生じた発熱は、ＬＥＤモジュールを固定した上可動部を通じて、該上可動部に面接触された下可動部に熱伝導され、更に、この下可動部に面接触された器具本体に熱伝導することができるため、ＬＥＤに生じた発熱を、効率良く器具本体に熱伝導でき、防水性を必要とする密閉式の構造で且つ消費電力の大きいＬＥＤを小さな空間に配置できる。
【００１８】
請求項２に係るＬＥＤ照明器具によれば、上傾斜面及び下傾斜面等の摺動面には、グリース等の潤滑剤を塗布してなるので、上可動部及び下可動部の回転を更にスムーズに行うことができるうえ、潤滑剤による伝導作用によって、ＬＥＤに生じた発熱を、更に効率良く器具本体に熱伝導できる。
【００１９】
請求項３に係るＬＥＤ照明器具によれば、下可動部を上可動部よりも大きな外形に形成してなるので、上可動部及び下可動部の回転を更にスムーズに行うことができるうえ、下可動部と器具本体の接触面積を大きくでき、ＬＥＤに生じた発熱を、更に効率良く器具本体に熱伝導できる。
【発明を実施するための最良の形態】
【００２０】
以下、本発明に係るＬＥＤ照明器具Ａを図面とともに説明する。
【実施例１】
【００２１】
図１は、本発明に係るＬＥＤ照明器具Ａの一実施例を示す分解斜視図であり、図２（ａ）は、図１のＬＥＤ照明器具Ａを組立てた状態を示す一部破断した状態の斜視図であり、図２（ｂ）は、図１のＬＥＤ照明器具Ａを組立てた状態を示す縦断面図である。
【００２２】
このＬＥＤ照明器具Ａは、器具本体１の内部にＬＥＤ２１を搭載した略円板状のＬＥＤモジュール２を内装すると共に、ＬＥＤ２１の照射方向を任意に設定可能な可動部３を設けてなり、この可動部３は、上面にＬＥＤモジュール２を載置して固定可能な上平面部４２を有し、且つ、下面には一方向に傾斜された上傾斜面４１を形成した回動可能な上可動部４と、上面には、上可動部４の上傾斜面４１と摺動すると共に、上傾斜面４１と同角度に傾斜された下傾斜面５１を有し、且つ、下面が器具本体１に摺接して回動可能な下平面部５２を形成した下可動部５と、上可動部４及び下可動部３の回転中心に貫通して、これら上可動部４及び下可動部５を各々任意の位置に回転可能にした回転軸６と、より構成したことに特徴がある。以下、詳説する。
【００２３】
器具本体１は、一方が閉止された有底筒状に形成され、開放端には、外周に向けて突出された鍔部１２を形成している。ここでは、下方が底壁１１で閉止された器具本体１を例示しているが、これに限定されるものではなく、平板状のものであっても構わない。なお、図示しないが、器具本体１の開放側には、透光性を備えたガラス板等を設けて防水性を保護している。
【００２４】
又、器具本体１の底壁１１中心には、一方の回転軸６２を貫通させて枢着可能な軸孔１３を開設している。
なお、器具本体１は、熱伝導率が高く、且つ、軽量なアルミ材等の金属材にて形成するのが好ましいが、例えば、合成樹脂やセラミックにて形成することも可能である。
【００２５】
ＬＥＤモジュール２は、既存のものを採用することができ、ＬＥＤ２１を発光させる基板（不図示）を内部に搭載すると共に、外部電源（不図示）に通電されるものであれば良く、本実施例のものには限定されない。
【００２６】
可動部３は、前述の如く、上可動部４と、下可動部５と、回転軸６と、より構成してなる。
【００２７】
上可動部４は、円柱の下面が一方向に傾斜された断面略楔状に形成してなり、その上面である上平面部４２にＬＥＤモジュール２を載置して接着等により固定している。
【００２８】
又、上可動部４の下面である上傾斜面４１の傾斜角度は、特に限定されるものではないが、１０°〜３５°の傾斜角度が好ましい。
【００２９】
又、上可動部４の中心には、他方の回転軸６１を枢着すると共に、該回転軸６１の頭部を埋設可能な段付きの貫通孔４３を開設している。
【００３０】
なお、貫通孔４３は、回転軸６１の中心線が上傾斜面４１の傾斜角度に対して直交するように開設している。
【００３１】
一方、下可動部５は、円柱の上面が上可動部４の上傾斜面４１と同じ傾斜角度で傾斜された断面略楔状に形成してなり、その上面である下傾斜面５１と、上傾斜面４１とが摺動すると共に、水平な下平面部５２が器具本体１に摺接して回動可能にしている。
【００３２】
又、下傾斜面５１の中心には、貫通された回転軸６１の先端が下傾斜面５１の傾斜角度に対して直交する軸受孔５３を開設すると共に、下平面部５２の中心には、軸孔１３を貫通した回転軸６１の先端を貫挿する軸受孔５３’を開設している。
【００３３】
更に、本実施例では、下可動部５の外形を上可動部４よりも大径の円形に形成して、上可動部４と下可動部５との間に段５４を設けており、この段５４を形成することによって、上可動部４又は下可動部５だけを容易に回転することができるうえ、下可動部５と器具本体１の底壁１１との接触面積を大きくすることができ、ＬＥＤ２１に生じた発熱を、効率良く器具本体１に熱伝導できる。
【００３４】
又、段５４を形成することにより、下可動部５の下傾斜面５１の周縁部分を外被することができるので、この周縁部分及び下可動部５の外周に位置する底壁１１に、例えば、上可動部４及び下可動部５が回転した角度を表示する目盛（不図示）を設けておけば、上可動部４及び下可動部５の回転角度、すなわち、ＬＥＤ２１の照射方向を外部から容易に目視でき、複数のＬＥＤ２１の照射方向を、同一方向に向けて確実に設定することができる。
【００３５】
なお、上可動部４及び下可動部５は、熱伝導率が高く、且つ、軽量なアルミ材等の金属材にて形成するのが好ましいが、例えば、合成樹脂やセラミックにて形成することも可能である。
【００３６】
又、上傾斜面４１及び下傾斜面５１や、下平面部５２と底壁１１等の摺動面には、グリース等の潤滑剤（不図示）を塗布することが好ましく、このような潤滑剤（不図示）を塗布すれば、上可動部４又は下可動部５の回転をスムーズに行うことができるうえ、潤滑剤（不図示）による伝導作用によって、ＬＥＤ２１に生じた発熱を効率良く器具本体１に熱伝導できる。
【００３７】
又、本実施例で示した回転軸６は、前述の如く、一方の回転軸６２と他方の回転軸６１とより構成しているが、これに限定されるものではなく、要は、可動部４及び下可動部５を各々任意の位置に回転することが可能であれば採用できる。
【００３８】
以上のように構成した本発明のＬＥＤ照明器具Ａは、以下のように使用する。
【００３９】
図３（ａ）、（ｂ）は、図１、２で示したＬＥＤ照明器具Ａの動作状態を示す縦断面図であり、（ａ）は鉛直方向に照明した状態の縦断面図、（ｂ）は、斜め方向に照明した状態の縦断面図である。  ここで、図１、図２と共通する部位には、同一の符号を付して重複する説明は省略する。
【００４０】
すなわち、本発明のＬＥＤ照明器具Ａは、従来同様にして、天井や壁、床等の所望の取付位置に器具本体１が貫通する開口を開設し、この開口縁に器具本体１の鍔部１２を係止させて固定し、器具本体１を前記天井や壁、床等に埋設する。
【００４１】
そして、ＬＥＤ２１の照射方向を、器具本体１の底壁１１に直交する鉛直方向に照射したければ、図３（ａ）に示すように、上可動部４及び下可動部５を逆方向に向けて位置付けておく。
【００４２】
又、ＬＥＤ２１の照射方向を、例えば、器具本体１の底壁１１に対して図中右斜め上方に傾斜する方向に照射したければ、図３（ｂ）に示すように、図３（ａ）の状態から上可動部４のみを手指で摘んで反転させれば、ＬＥＤ２１を図中右斜め上方向に照射することができる。
【００４３】
そして、図３（ｂ）の状態からＬＥＤ２１の照射方向を、例えば、器具本体１の底壁１１に対して図中左斜め上方に傾斜する方向に照射したければ、図４（ｃ）に示すように、図３（ｂ）の状態から下可動部５のみを手指で摘んで反転させれば、ＬＥＤ２１を図中左斜め上方向に照射することができる。
【００４４】
なお、ＬＥＤ２１の照射方向は例示であり、上可動部４或いは下可動部５を所望の位置に回転すれば、図例以外の照射方向にＬＥＤ２１を照射できることは勿論である。
【００４５】
そのため、本発明のＬＥＤ照明器具Ａによれば、上可動部４及び／又は下可動部５を回転することで、ＬＥＤモジュール２を搭載したＬＥＤ２１の照射方向を任意の方向に可動することができる。
【００４６】
しかも、本発明のＬＥＤ照明器具Ａによれば、発光によってＬＥＤ２１に生じた発熱は、ＬＥＤモジュール２を固定した上可動部４を通じて、該上可動部４に面接触された下可動部５に伝導され、更に、この下可動部５に面接触された器具本体１に熱伝導することができるため、ＬＥＤ２１に生じた発熱を、効率良く器具本体１に熱伝導でき、ＬＥＤ２１に生じた発熱を十分且つ確実に放熱することができるのである。
【図面の簡単な説明】
【００４７】
【図１】本発明に係るＬＥＤ照明器具Ａの一実施例を示す分解斜視図である。
【図２】（ａ）は、図１のＬＥＤ照明器具Ａを組立てた状態を示す一部破断した状態の斜視図、（ｂ）は、図１のＬＥＤ照明器具Ａを組立てた状態を示す縦断面図である。
【図３】（ａ）、（ｂ）は、図１、２で示したＬＥＤ照明器具Ａの動作状態を示す縦断面図であり、（ａ）は鉛直方向に照明した状態の縦断面図、（ｂ）は、斜め方向に照明した状態の縦断面図である。
【図４】（ｃ）は、図１、２で示したＬＥＤ照明器具Ａの動作状態を示す縦断面図であり、図３（ｂ）と逆方向に照明した状態の縦断面図である。
【図５】（ａ）、（ｂ）は、従来のＬＥＤ照明器具100を示す一部破断した状態の斜視図及び正面図である。
【符号の説明】
【００４８】
Ａ    ＬＥＤ照明器具
１    器具本体
２    ＬＥＤモジュール
２１  ＬＥＤ
３    可動部
４    上可動部
４１  上傾斜面
４２  上平面部
５    下可動部
５１  下傾斜面
５２  下平面部
６    回転軸
【図１】
2010021062.tif 000003
【図２】
2010021062.tif 000004
【図３】
2010021062.tif 000005
【図４】
2010021062.tif 000006
【図５】
2010021062.tif 000007